(57)【特許請求の範囲】
【請求項１】
バーナおよび熱交換器を有し外部電源を導入する電源端子を有する給湯器と、該給湯器を台所から電気配線コードを介して遠隔操作する台所リモコンと、前記給湯器を風呂場から電気配線コードを介して遠隔操作する風呂リモコンと、電気配線コードを介して音声・画像情報の信号を伝送可能に構成されたインターホンの玄関子機とを有する給湯器システムであって、
前記台所リモコンおよび風呂リモコンは、それぞれ、前記画像情報の表示部を兼ねたテレビ受像機を有するとともにマイクおよびスピーカを有してインターホンとして通話できる機能を備えてなり、
前記風呂リモコンおよび台所リモコンならびに給湯器のそれぞれに前記玄関子機を配線接続するための接続部が設けられ、
前記風呂リモコン、台所リモコンまたは給湯器のいずれかに前記玄関子機の電気配線コードが接続されるとともに、前記風呂リモコンおよび台所リモコンならびに玄関子機のそれぞれが前記電気配線コードを介して前記給湯器から電源供給を受けるように構成されたことを特徴とする給湯器システム。
【請求項２】
前記台所リモコンが前記インターホンの親機として機能するように構成されたことを特徴とする請求項１に記載の給湯器システム。
【請求項３】
前記台所リモコンおよび風呂リモコンが前記インターホンの親機として機能するように構成されたことを特徴とする請求項１に記載の給湯器システム。
【請求項４】
前記玄関子機の電気配線コードが、前記風呂リモコン、台所リモコンまたは給湯器のうち前記玄関子機に距離的に最も近いものに配線接続されることを特徴とする請求項１〜３の何れかに記載の給湯器システム。
【発明の詳細な説明】
【０００１】
【発明の属する技術分野】
本発明はガス、オイル又は電気を熱源とし、遠隔位置から給湯等の操作を行う給湯器、風呂加熱機能付き給湯器、温水暖房機能付給湯器などの給湯器システムに関し、より詳細には、テレビ付のリモコンを有するものに関するものである。
【０００２】
【従来の技術】
従来、この種給湯装置においては、給湯器を屋外に設置しこの給湯器を屋内の台所、風呂場等の遠隔位置に設けた台所リモコン、風呂リモコンから遠隔制御する給湯装置は知られている。一方、台所あるいは浴室にテレビを設けることも知られている。また、屋内外において来客等とのコミュニケーションを図るため屋内である台所にインターホンの親機を設けると共に玄関等の屋外にはインターホンの玄関子機を設けることも知られている。
【０００３】
【発明が解決しようとする課題】
しかしながら、テレビの受信機を台所あるいは浴室に設置するにはテレビ受信ケーブル線を台所、浴室へ配線導入すると共に電源コードをテレビ受信機近傍まで配線しなければならず、配線接続作業が煩雑となっていた。さらに台所の壁面に給湯器のリモコンとインターホンの親機をそれぞれ別個に取り付けると美観上好ましくなく台所の壁面が狭くなる問題を有していた。
【０００４】
本発明は上記問題に鑑み、給湯器のテレビ付リモコンとインターホンの親機との一体化を図ることにより、上記の問題を解決し、特に電気配線の省施工化を図った給湯器システムを提供することを課題とする。
【０００５】
【課題を解決するための手段】
上記課題を解決するために、本発明の給湯器システムは、バーナおよび熱交換器を有し外部電源を導入する電源端子を有する給湯器と、該給湯器を台所から電気配線コードを介して遠隔操作する台所リモコンと、前記給湯器を風呂場から電気配線コードを介して遠隔操作する風呂リモコンと、電気配線コードを介して音声・画像情報の信号を伝送可能に構成されたインターホンの玄関子機とを有する給湯器システムであって、前記台所リモコンおよび風呂リモコンは、それぞれ、前記画像情報の表示部を兼ねたテレビ受像機を有するとともにマイクおよびスピーカを有してインターホンとして通話できる機能を備えてなり、前記風呂リモコンおよび台所リモコンならびに給湯器のそれぞれに前記玄関子機を配線接続するための接続部が設けられ、前記風呂リモコン、台所リモコンまたは給湯器のいずれかに前記玄関子機の電気配線コードが接続されるとともに、前記風呂リモコンおよび台所リモコンならびに玄関子機のそれぞれが前記電気配線コードを介して前記給湯器から電源供給を受けるように構成されたことを第１の特徴としている。
また本発明の給湯器システムは、請求項１に記載の給湯器システムにおいて、前記台所リモコンが前記インターホンの親機として機能するように構成されたことを第２の特徴としている。
また本発明の給湯器システムは、請求項１に記載の給湯器システムにおいて、前記台所リモコンおよび風呂リモコンが前記インターホンの親機として機能するように構成されたことを第３の特徴としている。
また本発明の給湯器システムは、請求項１〜３の何れかに記載の給湯器システムにおいて、前記玄関子機の電気配線コードが、前記風呂リモコン、台所リモコンまたは給湯器のうち前記玄関子機に距離的に最も近いものに配線接続されることを第４の特徴としている。
【０００６】
上記第１の特徴によれば、美観上も優美となるのみならず台所及び風呂リモコンのテレビに別途電源を供給する必要がなくなり、電気配線工事の省施工化を図ることができる。しかも、玄関子機は、接続の相手方を設置場所、距離等に応じて相対的に選択することで、配線距離を短縮して電気配線工事の尚一層の省施工化を図ることができる。上記第２の特徴によれば、美観上も優美となるのみならず玄関子機は給湯器の電源を用いて玄関と台所間の通話が可能となり、玄関子機に別途電源を供給する必要がなくなり、電気配線工事の省施工化を図ることができる。上記第３の特徴によれば、美観上も優美となるのみならず玄関子機は給湯器の電源を用いて玄関と台所及び風呂間の通話が可能となり、玄関子機に別途電源を供給する必要がなくなり、電気配線工事の省施工化を図ることができる。上記第４の特徴によれば、玄関子機に対していずれか近いところにある風呂リモコンあるいは台所リモコンあるいは給湯器と、玄関子機とを接続されるので、配線距離を短縮して電気配線工事の尚一層の省施工化を図ることができる。
【０００７】
【発明の実施の形態】
以下、本発明の実施の形態を図面を参照しながら説明する。図１は本発明の一実施形態を示すテレビ付給湯装置の全体構成図である。
【０００８】
図１において、１０は内部にガス、石油等を燃料とするバーナ、熱交換器、送風ファン等を有する給湯器、２０は屋内である台所（台所の近傍を含む）に設置し給湯器の湯温等を遠隔操作する台所リモコンであってインターホンの親機としての機能を有しマイクおよびスピーカを一体的に内蔵してある。３０は風呂場に設置し給湯器の湯温、浴槽の水位等を遠隔操作する風呂リモコンである。４０は門柱・玄関先に設置したインターホンの玄関子機であり、マイクおよびスピーカを内蔵している。 ７０はテレビ受信用のアンテナ、７１はアンテナから台所リモコン２０に接続するテレビ受信ケーブル線、７２はアンテナから風呂リモコン３０に接続したテレビ受信ケーブル線である。
【０００９】
前記台所リモコン２０および風呂リモコン３０は、電気配線コード５０、５１により給湯器１０に接続され、給湯器１０から各リモコンに電源が供給されており、給湯器１０を制御すると共にマイクおよびスピーカを内蔵してあり、それぞれインターホンとして通話ができるようになっている。４１は玄関子機４０に設けた通話用の押しボタン、４２は外来者を撮影用の例えばＣＣＤ等のカメラである。
【００１０】
また、２１は台所リモコン２０に設けられ給湯器１０を制御するための給湯用操作部であって、電源の入切スイッチ、給湯温度の調節用のスイッチ、自動給湯用のスイッチ等からなる。台所リモコン２０には、給湯用操作部２１の他に玄関子機４０のカメラ４２によって撮影された玄関画像を表示する表示部２２、玄関子機４０の電気配線コード６１を接続するための端子等の接続部２３およびインターホン通話用の押しボタン２４を有している。台所リモコン２０にはテレビ受信機を内蔵してあり、テレビ画像は前記表示部２２で表示される。
【００１１】
また、前記風呂リモコン３０には、給湯器１０を制御するための例えば給湯湯温スイッチ等の操作部３１、玄関子機４０のカメラ４２によって撮影された玄関画像を表示する表示部３２、インターホン通話用の押しボタン３３、玄関子機４０の電気配線コード６１を接続するための端子等の接続部３４を有している。この風呂リモコン３０にはテレビ受像機を内蔵してあり、テレビ画像は前記表示部３２で表示される。さらに、給湯器１０には、玄関子機４０の電気配線コード６１を接続するための端子等の接続部１１、家庭用１００ボルトである外部電源導入用のプラグ等の電源端子１２を有している。各リモコン２０、３０に設けたテレビへの電源は前記電気配線コード５０、５１を介して給湯器１０のみから導入している。上記給湯器とリモコン間、リモコンと玄関子機間の伝送は低電圧直流の二芯電力線に給湯情報、音声・画像情報のデジタル信号を時分割して搬送している。なお玄関子機はもう１台増設してもよい。
【００１２】
本発明はこのような構成からなり、風呂を自動で沸かすには、台所リモコン２０の操作部２１で電源スイッチを入れるとともに、風呂温度設定スイッチ、湯量設定スイッチ等で予め任意の温度、湯量に設定した後、自動スイッチを押せば良く、これにより、図示しない電磁弁が開いて水が流れ、給湯器１０が動作してバーナが着火し、適温の湯が風呂給湯される。給湯温度は表示部２２・３２で温度表示するようにしてもよい。
【００１３】
次に、台所及び風呂場においてテレビを設置する場合には、給湯器１０を屋外に設置した後、台所リモコン２０を給湯器１０と電気配線コード５０を介して接続し台所壁面に固定すると共にアンテナ７０と台所リモコン２０とをテレビ受信ケーブル７１により接続する。接続後は給湯器に導入された電源により電気配線コード５０を介して台所リモコン内のテレビ受信機に電気が供給され、台所においてテレビを観賞することができる。風呂リモコン３０も同様に電気配線コード５１を介して給湯器１０に接続し、かつテレビ受信ケーブル７２を介してアンテナ７０に接続すればよい。これら電気配線コードは電源の供給と、給湯器を遠隔制御するための給湯情報の伝送とを兼用させるために、二芯線の低電圧重畳方式としかつデジタル伝送方式としてある。テレビの電源には給湯器１０に供給されている電源を用いているため、別途にテレビ用の専用の電源をリモコン部に導入する必要はなくなる。この結果、台所及び風呂リモコンの電気配線工事を省施工することができる。従来、テレビ受信機を有する給湯用リモコンには別途電源を供給する必要があるため、台所近傍の壁面には電源コンセントを要していたが、この必要がなくなった。
【００１４】
さらに、インターホンを使用するには、インターホンの玄関子機４０を門柱等に設置し固定した後、インターホンの親機としての機能を有する台所リモコン２０に電気配線コード６１により接続する。しかる後は給湯器１０の電源を使用して玄関と台所あるいは玄関と風呂との間でインターホン通話が可能となる。玄関子機のカメラ４２で撮影した画像は台所リモコン２０の表示部２２にて表示されると共に風呂リモコン３０の表示部３２においても表示される。この結果、別途インターホン用の親機を設ける必要がなくなり、設置場所の壁面の美観を悪くすることがなくなった。また、台所のみならず風呂場においても訪問者の確認ができるので、来訪者の確認場所の拡大を図ることができる。
【００１５】
さらに、給湯器１０と、給湯器１０を台所から遠隔操作すると共にインターホンの親機となる台所リモコン２０と、前記給湯器１０を風呂場から遠隔操作する風呂リモコン３０とからなる給湯装置に対して、玄関子機４０を接続設置する場合において、風呂リモコン３０および台所リモコン２０および給湯器１０の三者に子機接続用の接続部３４、２１、１１を設けておけば、風呂リモコン３０および給湯器１０よりも台所リモコン２０の方が玄関子機４０に距離的に近いときは、台所リモコン２０の接続部２３に玄関子機４０を配線接続すればよく、逆に台所リモコン２０および給湯器１０よりも風呂リモコン３０の方が玄関子機４０に距離的に近いときは、風呂リモコン３０の接続部３４に玄関子機４０を配線接続すればよく、また給湯器１０が最も近いときは給湯器１０の接続部１１に配線接続すればよい。この結果、玄関子機４０と台所リモコン２０間の通話および玄関子機４０と風呂リモコン３０間の通話さらに両リモコン２０、３０間の通話は、給湯器１０の電源を使用して行うことが可能となり、玄関子機の電気配線コードを最も短く施工でき、しかも従来のような玄関子機に別途外部電源を供給する必要がなくなった。
【００１６】
なお、本実施の形態では、玄関子機にカメラを設けると共にそれぞれのリモコンに表示部を設けているので、来訪者の確認を容易に行えることは言うまでもない。
【００１７】
【発明の効果】
本発明は以上の構成、作用からなり、請求項１に記載の給湯器システムによれば、バーナおよび熱交換器を有し外部電源を導入する電源端子を有する給湯器と、該給湯器を台所から電気配線コードを介して遠隔操作する台所リモコンと、前記給湯器を風呂場から電気配線コードを介して遠隔操作する風呂リモコンと、電気配線コードを介して音声・画像情報の信号を伝送可能に構成されたインターホンの玄関子機とを有する給湯器システムであって、前記台所リモコンおよび風呂リモコンは、それぞれ、前記画像情報の表示部を兼ねたテレビ受像機を有するとともにマイクおよびスピーカを有してインターホンとして通話できる機能を備えてなり、前記風呂リモコンおよび台所リモコンならびに給湯器のそれぞれに前記玄関子機を配線接続するための接続部が設けられ、前記風呂リモコン、台所リモコンまたは給湯器のいずれかに前記玄関子機の電気配線コードが接続されるとともに、前記風呂リモコンおよび台所リモコンならびに玄関子機のそれぞれが前記電気配線コードを介して前記給湯器から電源供給を受けるように構成したので、美観上も優美となるのみならず台所及び風呂リモコンのテレビに別途電源を供給する必要がなくなり、電気配線工事の省施工化を図ることができる。しかも、玄関子機は、接続の相手方を設置場所、距離等に応じて相対的に選択することで、配線距離を短縮して電気配線工事の尚一層の省施工化を図ることができる。
また、請求項２に記載の給湯器システムによれば、請求項１に記載の給湯器システムにおいて、前記台所リモコンが前記インターホンの親機として機能するように構成したので、インターホンの親機を別途設けることなく台所リモコンと兼用することができ、設置壁面を少なくし得て、美観上も優美となるのみならず玄関子機は給湯器の電源を用いて玄関と台所間の通話が可能となり、玄関子機に別途電源を供給する必要がなくなり、電気配線工事の省施工化を図ることができる。  また、請求項３に記載の給湯器システムによれば、請求項１に記載の給湯器システムにおいて、前記台所リモコンおよび風呂リモコンが前記インターホンの親機として機能するように構成したので、美観上も優美となるのみならず玄関子機は給湯器の電源を用いて玄関と台所間の通話のみならず玄関と風呂間の通話が可能となり、訪問者の確認場所を拡大し得て利便性が向上すると共に玄関子機に別途電源を供給する必要がなくなり、電気配線工事の省施工化を図ることができる。
また、請求項４に記載の給湯器システムによれば、請求項１〜３の何れかに記載の給湯器システムにおいて、前記玄関子機の電気配線コードが、前記風呂リモコン、台所リモコンまたは給湯器のうち前記玄関子機に距離的に最も近いものに配線接続されるので、配線距離を短縮して電気配線工事の尚一層の省施工化を図ることができる。
【図面の簡単な説明】
【図１】本発明を適用したテレビ付給湯装置の全体構成図である。
【符号の説明】
１０   給湯器
１１   接続部
１２   電源端子
２０  台所リモコン
２３  接続部
３０   風呂リモコン
３４   接続部
４０  玄関子機
７１   テレビ受信ケーブル線
７２   テレビ受信ケーブル線
1
【図１】
0003991499.tif 000002